(57)【要約】【課題】  デジタル放送信号を受信するデジタル放送受信装置の動作電力を商用電源からと電池からとで切り替えて供給するデジタル放送受信装置において、電力供給状態に合わせてデジタル放送信号の番組配列情報等付加情報の更新を行うデジタル放送受信装置を提供する。【解決手段】  選局部102と復調部103と多重分離部104と記憶部112と再生判断部113と電力供給状況判断部115と制御部110とで構成され、制御部110は、再生判断部113が出力する再生要求信号と電力供給状況判断部115が出力する電力供給状況信号を受け、選局部102と復調部103と多重分離部104とを制御し、多重分離部104が出力する番組配列情報を記憶部112に記憶する。【選択図】図１
2008104214.tif 000002
【特許請求の範囲】
【請求項１】
デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、
前記伝送信号から選択されたデジタル放送信号の受信チャネルを選局制御信号により選局する選局部と、
前記選局部の出力信号を復調し、復調信号を出力する復調部と、
前記復調信号に含まれる番組配列情報を分離して出力する多重分離部と、
前記番組配列情報を記憶する記憶部と、
前記デジタル放送受信装置の受信者が前記再生信号を要求しているか要求していないかを示す再生要求信号を出力する再生判断部と、
前記デジタル放送受信装置で使用している電力が、発電機または商用電源からの電力か、電池からの電力か、電力供給が切断または制限されている場合かを示す電力供給状況信号を出力する電力供給状況判断部と、
前記再生要求信号と前記電力供給状況信号を受け、前記選局部と前記復調部と前記多重分離部とを制御し、前記番組配列情報を前記記憶部に記憶する制御部と、
で構成されることを特徴とするデジタル放送受信装置。
【請求項２】
請求項１に記載のデジタル放送受信装置において、
前記制御部により制御される、外部と双方向通信を行い、通信情報を外部から入手することのできる双方向通信部を設けたことを特徴とするデジタル放送受信装置。
【請求項３】
デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、
前記伝送信号から選択されたデジタル放送信号の受信チャネルを選局制御信号により選局する選局部と、
前記選局部の出力信号を復調し、復調信号を出力する復調部と、
前記復調信号に含まれる番組配列情報やデータ情報を分離して出力する多重分離部と、
前記番組配列情報を記憶する記憶部と、
前記デジタル放送受信装置の受信者が前記再生信号を要求しているか要求していないかを示す再生要求信号を出力する再生判断部と、
前記デジタル放送受信装置で使用している電力が、発電機または商用電源からの電力か、電池からの電力か、電力供給が切断または制限されている場合かを示す電力供給状況信号を出力する電力供給状況判断部と、
前記番組配列情報やデータ情報のうち必要な情報を要求する情報要求信号を記憶する要求記憶部と、
前記再生要求信号と前記電力供給状況信号と前記要求記憶部からの前記情報要求信号とを受け、前記選局部と前記復調部と前記多重分離部とを制御し、前記情報要求信号により要求された前記番組配列情報やデータ情報を前記記憶部に記憶する制御部と、
で構成されることを特徴とするデジタル放送受信装置。
【請求項４】
デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、
前記伝送信号から選択されたデジタル放送信号の受信チャネルを選局制御信号により選局する選局部と、
前記選局部の出力信号を復調し、復調信号を出力する復調部と、
前記復調信号に含まれる番組配列情報やデータ情報を分離して出力する多重分離部と、
前記番組配列情報、または前記デジタル放送受信装置の外部から供給される外部情報を記憶する記憶部と、
前記デジタル放送受信装置の受信者が前記再生信号を要求しているか要求していないかを示す再生要求信号を出力する再生判断部と、
前記デジタル放送受信装置で使用している電力が、発電機または商用電源からの電力か、電池からの電力か、電力供給が切断または制限されている場合かを示す電力供給状況信号を出力する電力供給状況判断部と、
前記番組配列情報やデータ情報のうち必要な情報を要求する情報要求信号を記憶する要求記憶部と、
前記再生要求信号と前記電力供給状況信号と前記要求記憶部からの前記列情報要求信号とを受け、前記選局部と前記復調部と前記多重分離部とを制御し、前記情報要求信号により要求された、前記番組配列情報やデータ情報または前記外部情報を前記記憶部に記憶する制御部と、
で構成されることを特徴とするデジタル放送受信装置。
【請求項５】
請求項３または４に記載のデジタル放送受信装置において、
前記制御部により制御される、外部と双方向通信を行い、通信情報を外部から入手することのできる双方向通信部を設けたことを特徴とするデジタル放送受信装置。
【発明の詳細な説明】
【技術分野】
【０００１】
本発明は、デジタル放送信号を受信するデジタル放送受信装置に係わり、特に電力を商用電源からと電池からとで切り替えて供給するデジタル放送受信装置に関する。
【背景技術】
【０００２】
日本や欧州等の地上デジタル放送ではマルチパス妨害に強い直交周波数分割多重(Orthogonal Frequency Division Multiplexing：以下、OFDM)方式を採用しており、ＳＦＮ(Single Frequency Network:単一周波数ネットワーク)受信が可能なため周波数を有効に利用することが可能であるが、全地域でSFNを実現することは困難であり、全国同一番組を同一周波数にするというわけには行かない。また、地上放送は地域性を重要視し、地方局により独自の放送が行われたり地方性のあるコマーシャルを入れることもある。この場合、ＳＦＮは不可能である。
【０００３】
また、特に日本の地上デジタル放送は、時間インターリーブを持っているため、固定受信だけでなく移動受信にも強い方式となっている。移動受信に対応した、小型で持ち運びできるような形状の受信機（以下、携帯受信機と呼ぶ）や移動体に乗せて使用する受信機（以下、移動受信機と呼ぶ）の場合、現在どの地域にいるか不明なことが多いため、また、移動中等は受信状態が不安定なため、受信可能な番組を選択することが困難である。
【０００４】
日本の地上デジタル放送は、テレビジョン放送と音声放送の共通性を考慮してＩＳＤＢーＴ(Integrated Services Digital Broadcasting for Terrestrial)として検討されており、地上デジタルテレビジョン放送の放送方式は１９９９年５月に、地上デジタル音声放送の放送方式は１９９９年１１月に答申された。ＩＳＤＢーＴテレビジョン放送の方式については、非特許文献１のＮＨＫ技研Ｒ＆Ｄ，Ｎｏ５６，１９９９年５月に詳しく述べられている。
【０００５】
地上デジタル放送ではＰＳＩ（Program Specific Information:番組特定情報）、ＥＰＧ（Electronic Program Guide:電子番組ガイド）などのＳＩ情報（Service Information:番組配列情報）は、ＢＳデジタル放送の全局の情報をネットワーク内の全ＴＳ（Transport Stream）で一斉に送信するいわゆる全局ＳＩとは異なり、自局の情報を自局のＴＳ内に入れ、ＴＳを符号化して変調してそれぞれのチャネルで送信するいわゆる各局ＳＩが用いられると考えられている。
【０００６】
一方、移動受信機として最も一般的に考えられるのは車載受信機である。車載受信機としては、特許文献１の特開平１１ー３０４５００号公報や特許文献２の特開平１１ー１７５４５７号公報のように、ＩＥＥＥ１３９４でバス接続し、システム制御することが考えられている。
【０００７】
【非特許文献１】ＮＨＫ技研Ｒ＆Ｄ，Ｎｏ５６，１９９９年５月
【特許文献１】特開平１１ー３０４５００号公報
【特許文献２】特開平１１ー１７５４５７号公報
【発明の開示】
【発明が解決しようとする課題】
【０００８】
地上デジタル放送においては、前記したように各局ＳＩが用いられる可能性が高いのであるが、この場合の課題としては、現在選局しているチャネル以外のＳＩ情報の最新情報が得られないことである。ＳＩ情報特にＥＰＧはチャネルの中の番組が変更されることがあるが、変更されたＥＰＧを、現在受信しているチャネルに対しては更新することが可能である。しかし、現在受信していないチャネルに対してはＳＩ情報が変更されたとしてもそれを知ることができない。したがって、現在受信しているチャネル以外のチャネルを選局しなおしたときは、まず、ＳＩ情報の変更の有無を認識し、変更がある場合はそれを更新しなければならない。これに時間がかかり、快適な選局がなされない課題があった。また、ＳＩ情報の更新頻度が頻繁である場合には、電池駆動においては負担が大きい課題があった。
【０００９】
本発明の目的は、デジタル放送信号を受信するデジタル放送受信装置の動作電力を商用電源からと電池からとで切り替えて供給するデジタル放送受信装置において、電力供給状態に合わせてデジタル放送信号の番組配列情報等付加情報の更新を行うデジタル放送受信装置を提供することにある。
【課題を解決するための手段】
【００１０】
第１の本発明は、デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、前記伝送信号から選択されたデジタル放送信号の受信チャネルを選局制御信号により選局する選局部と、前記選局部の出力信号を復調し、復調信号を出力する復調部と、前記復調信号に含まれる番組配列情報を分離して出力する多重分離部と、前記番組配列情報を記憶する記憶部と、前記デジタル放送受信装置の受信者が前記再生信号を要求しているか要求していないかを示す再生要求信号を出力する再生判断部と、前記デジタル放送受信装置で使用している電力が、発電機または商用電源からの電力か、電池からの電力か、電力供給が切断または制限されている場合かを示す電力供給状況信号を出力する電力供給状況判断部と、前記再生要求信号と前記電力供給状況信号を受け、前記選局部と前記復調部と前記多重分離部とを制御し、前記番組配列情報を前記記憶部に記憶する制御部と、で構成されることを特徴とする。
【００１１】
第２の本発明は、第１の本発明において、前記制御部により制御される、外部と双方向通信を行い、通信情報を外部から入手することのできる双方向通信部を設けたことを特徴とする。
【００１２】
第３の本発明は、デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、前記伝送信号から選択されたデジタル放送信号の受信チャネルを選局制御信号により選局する選局部と、前記選局部の出力信号を復調し、復調信号を出力する復調部と、前記復調信号に含まれる番組配列情報やデータ情報を分離して出力する多重分離部と、前記番組配列情報を記憶する記憶部と、前記デジタル放送受信装置の受信者が前記再生信号を要求しているか要求していないかを示す再生要求信号を出力する再生判断部と、前記デジタル放送受信装置で使用している電力が、発電機または商用電源からの電力か、電池からの電力か、電力供給が切断または制限されている場合かを示す電力供給状況信号を出力する電力供給状況判断部と、前記番組配列情報やデータ情報のうち必要な情報を要求する情報要求信号を記憶する要求記憶部と、前記再生要求信号と前記電力供給状況信号と前記要求記憶部からの前記情報要求信号とを受け、前記選局部と前記復調部と前記多重分離部とを制御し、前記情報要求信号により要求された前記番組配列情報やデータ情報を前記記憶部に記憶する制御部と、で構成されることを特徴とする。
【００１３】
第４の本発明は、デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、前記伝送信号から選択されたデジタル放送信号の受信チャネルを選局制御信号により選局する選局部と、前記選局部の出力信号を復調し、復調信号を出力する復調部と、前記復調信号に含まれる番組配列情報やデータ情報を分離して出力する多重分離部と、前記番組配列情報、または前記デジタル放送受信装置の外部から供給される外部情報を記憶する記憶部と、前記デジタル放送受信装置の受信者が前記再生信号を要求しているか要求していないかを示す再生要求信号を出力する再生判断部と、前記デジタル放送受信装置で使用している電力が、発電機または商用電源からの電力か、電池からの電力か、電力供給が切断または制限されている場合かを示す電力供給状況信号を出力する電力供給状況判断部と、前記番組配列情報やデータ情報のうち必要な情報を要求する情報要求信号を記憶する要求記憶部と、前記再生要求信号と前記電力供給状況信号と前記要求記憶部からの前記列情報要求信号とを受け、前記選局部と前記復調部と前記多重分離部とを制御し、前記情報要求信号により要求された、前記番組配列情報やデータ情報または前記外部情報を前記記憶部に記憶する制御部と、で構成されることを特徴とする。
【００１４】
第５の本発明は、第３または第４の本発明において、前記制御部により制御される、外部と双方向通信を行い、通信情報を外部から入手することのできる双方向通信部を設けたことを特徴とする。
【発明の効果】
【００１５】
本発明によれば、デジタル放送信号を受信するデジタル放送受信装置の動作電力を商用電源からと電池からとで切り替えて供給するデジタル放送受信装置において、電力供給状態に合わせてデジタル放送信号の番組配列情報等付加情報の更新を行うデジタル放送受信装置を得ることができる。
【発明を実施するための最良の形態】
【００１６】
以下、本発明のデジタル放送信号を受信するデジタル放送信号受信装置の実施の形態を図面に従って説明する。図1は本発明のデジタル放送信号受信装置の第1の実施の形態の構成を示すブロック図である。ここでは、車載受信機を想定している。
【００１７】
101は放送信号の入力端子、102は選局部、103はデジタル復調部、104は多重分離部、105は音声デコード部、106は音声出力端子、107は映像デコード部、108は提示処理部、109は映像出力端子、110は制御部、111はＰＳＩ／ＳＩ記憶部、112はデータ記憶部、113は受信機選択部、114はデジタル放送受信装置、115は電力供給状態判断部である。
【００１８】
入力端子101には、受信した放送信号が入力される。この入力信号には、アナログ放送信号やデジタル放送信号が含まれている。
【００１９】
選局部102は、制御部110からの制御信号により、入力端子101からの受信した放送信号から1つの受信チャネルを選択し中間周波数に変換して中間周波受信チャネル信号として出力する。ここでは、デジタル放送信号を受信したとする。デジタル復調部103は、利得制御された中間周波受信チャネル信号をデジタル復調してＴＳ信号を出力する。
【００２０】
多重分離部104は制御部110により要求された音声データまたは映像データを抽出し、それぞれ音声デコード部105、映像デコード部107に出力する。また、データ放送で送られた情報データを制御部110で処理し、提示処理部108に出力する。
【００２１】
音声デコード部105は、音声データを復号し、音声信号として出力端子106に出力する。映像デコード部107は、映像データを復号し、映像信号として提示処理部108に出力する。提示処理部108は、映像信号と処理された情報データを多重して出力端子109に出力する。
【００２２】
選局部102で選局したデジタル放送信号には付加情報の一つであるＥＰＧなどのＰＳＩ／ＳＩ情報が含まれている。ＰＳＩ／ＳＩ情報は多重分離部104で抽出され、ＰＳＩ／ＳＩ記憶部111に記憶される。
【００２３】
また、選局部102で選局したデジタル放送信号には付加情報のもう一つである株式，天気予報等のデータ放送も含まれている。データ放送情報は多重分離部104で抽出され、データ記憶部112に記憶される。
【００２４】
受信機選択部113は、デジタル放送受信装置114の受信者がデジタル放送受信装置114を使用しようとして選択しているか選択していないかを示す再生要求信号を出力する。一般的には、使用者がデジタル放送受信機の選択スイッチを押すまたはリモコンで選択するなどで示される。
【００２５】
電力供給状態判断部115は、デジタル放送受信装置114で使用している電力が、商用電源である発電機からの電力か、電池からの電力か、電力供給が切断または制限されている場合かを示す電力供給状況信号を出力する。これについて、図2を用いて説明する。
【００２６】
図2は、自動車の一般的エンジンスイッチを示す模式図である。201はキー挿入口を有する回転板、202はキー位置表示固定板であり、LOCK位置と ACC位置と ON位置と START位置を有し、キー挿入口を有する回転板201の回動でいずれかの位置に設定することができる。
【００２７】
LOCKは「ロック」を示し、デジタル放送受信装置113への電力供給が切断または制限されている場合である。ACCは「アクセサリー」を示し、デジタル放送受信装置114への電力供給が電池から行われている場合である。
【００２８】
ONは「オン」を示し、エンジン回転中であり発電機を駆動してデジタル放送受信装置114への電力供給が発電機から行われている場合である。STARTは「スタート」を示し、エンジンを始動する位置であり、始動後はONの位置にもどすようにする。
【００２９】
従って、電力供給状態判断部115による電力供給状態はエンジンスイッチの位置で判断できる。ただし、STARTでエンジンがかからずONの位置にくる事も考えられるため、エンジンまたは発電機の回転を検出して発電機からの供給を判断したほうがより確実である。
【００３０】
またデジタル放送受信装置114に供給される電気の電圧値または電圧波形などで電力供給状況信号を求めることも可能な場合がある。
【００３１】
次に、制御部110の動作を図3により説明する。図3は制御部110の処理ステップを示したフローチャートであり、301はSTART、302は電力供給状態の判断ステップ、303,304,305は受信機選択部113からのデジタル放送受信装置114を使用しようとして選択しているか選択していないかを示す再生要求信号の判断ステップ、306は電力供給が切断または制限されている場合でかつデジタル放送受信装置114を選択していないときに行う処理ａ、307は電力供給が切断または制限されている場合でかつデジタル放送受信装置114を使用しようとして選択しているときに行う処理ｂ、308は電力供給が電池からの電力でかつデジタル放送受信装置114を選択していないときに行う処理ｃ、309は電力供給が電池からの電力でかつデジタル放送受信装置114を使用しようとして選択しているときに行う処理ｄ、310は電力供給が発電機からの電力でかつデジタル放送受信装置114を選択していないときに行う処理ｅ、311は電力供給が発電機からの電力でかつデジタル放送受信装置114を使用しようとして選択しているときに行う処理ｆである。
【００３２】
ステップ306の処理aとステップ307の処理ｂでは、もし完全に電力供給が切断されていれば行う処理に差を生じさせることはできないが、通常の電力よりも制限された状態で供給されているいわゆる休眠状態の場合は処理に差を持たせたほうがよい場合がある。たとえば、ステップ306の処理aの場合には他にＡＶ機器またはナビゲーションなどが選択されている場合があり、そちらの選択された機器の休眠処理を有効にする。ステップ307の処理ｂではデジタル放送受信装置114が選択されているためデジタル放送受信装置114の休眠処理、例えば緊急情報放送があった場合に自動立ち上げを行うか緊急警報を通達する処理を行うなどが考えられる。
【００３３】
ステップ309の処理ｄとステップ311の処理ｆでは、一般的にデジタル放送受信装置114を立ち上げ使用可能状態とし、前回選択されていた受信チャネルを選択して出力端子106,109からそれぞれ音声信号,映像信号を出力し、図１には示していないがスピーカやモニターに再生される。ただし、ステップ309の処理ｄでは電池からの供給電力であるためいわゆる省エネモードで立ち上げ、例えば映像サイズを小さくするとか映像の輝度を落すとか映像出力を出さずに音声出力だけにするとかの機能を制限させた状態にすることも考えられる。
【００３４】
ステップ308の処理ｃとステップ310の処理ｅでは、デジタル放送受信装置114が選択されていないため、選択していない間デジタル放送受信装置114を動作させて各チャネルの付加情報の一つであるＥＰＧなどのＰＳＩ／ＳＩ情報を取得させる動作を行う。具体的には、まず、第一段階として選局部102、デジタル復調部103、多重分離部104を制御して、前回まで受信していた受信チャネルのＰＳＩ／ＳＩ情報の更新状況を調査し、更新されていればＰＳＩ／ＳＩ情報を抽出し、ＰＳＩ／ＳＩ記憶部111に記憶する。次に、第二段階として選局部102を制御し前回受信していた以外の他の受信チャネルをサーチし、その後、デジタル復調部103、多重分離部104を制御して、今回選局した受信チャネルのＰＳＩ／ＳＩ情報の更新状況を調査し、更新されていればＰＳＩ／ＳＩ情報を抽出し、ＰＳＩ／ＳＩ記憶部111に記憶する。これをデジタル放送の全ての周波数帯域で行う。ステップ308の処理ｃでは一旦これで処理を終了し、ある一定時間後この処理を繰り返す。ステップ310の処理ｅではすぐにまたこの処理を繰り返す。なお、ステップ308の処理ｃでは第一段階しか行わないこともまた行わないことも考えられる。
【００３５】
以上の処理により、図1に示すデジタル放送受信の実施の形態では、電力供給状態に合わせて付加情報の一つであるＰＳＩ／ＳＩ情報の変更の更新を行うことができる。
【００３６】
一方、ステップ308の処理ｃとステップ310の処理ｅでは、デジタル放送受信装置114が選択されていないため、選択していない間デジタル放送受信装置114を動作させて各チャネルの付加情報のもう一つであるデータ放送情報を取得させる動作を行う。具体的には、まず、第一段階として選局部102、デジタル復調部103、多重分離部104を制御して、前回まで受信していた受信チャネルのデータ放送情報の更新状況を調査し、更新されていればデータ放送情報を抽出し、データ記憶部112に記憶する。次に、第二段階として選局部102を制御し前回受信していた以外の他の受信チャネルをサーチし、その後、デジタル復調部103、多重分離部104を制御して、今回選局した受信チャネルのデータ放送情報の更新状況を調査し、更新されていればデータ放送情報を抽出し、データ記憶部112に記憶する。これをデジタル放送の全ての周波数帯域で行う。ステップ308の処理ｃでは一旦これで処理を終了し、ある一定時間後この処理を繰り返す。ステップ310の処理ｅではすぐにまたこの処理を繰り返す。なお、ステップ308の処理ｃでは第一段階しか行わないこともまた行わないことも考えられる。
【００３７】
以上の処理により、図1に示すデジタル放送受信装置の実施の形態では、電力供給状態に合わせて付加情報のもう一つであるデータ放送情報の更新を行うことができる。
【００３８】
図4は本発明のデジタル放送信号を受信するデジタル放送信号受信装置の第2の実施の形態の構成を示すブロック図である。ここでも、車載受信機を想定している。図1と同一符号は同一機能を示し、401はデータ要求記憶部、402はデータ要求情報入力端子である。
【００３９】
選局部102で選局したデジタル放送信号には株式，天気予報等のデータ放送も含まれている。入力端子402からデータ放送のうち受信者が必要とする情報を示すデータ要求情報を入力する。このデータ要求情報はデータ要求記憶部401に記憶される。このデータ要求情報により要求されたデータ放送情報は多重分離部104で抽出され、データ記憶部112に記憶される。
【００４０】
図4の動作を図3の処理ステップを用いて説明する。ステップ308の処理ｃとステップ310の処理ｅでは、デジタル放送受信装置114が選択されていないため、選択していない間デジタル放送受信装置114を動作させて各チャネルの付加情報であるデータ要求情報により要求されたデータ放送情報を取得させる動作を行う。具体的には、まず、第一段階として選局部102、デジタル復調部103、多重分離部104を制御して、前回まで受信していた受信チャネルの付加情報であるデータ要求情報により要求されたデータ放送情報の更新状況を調査し、更新されていれば付加情報であるデータ要求情報により要求されたデータ放送情報を抽出し、データ記憶部112に記憶する。次に、第二段階として選局部102を制御し前回受信していた以外の他の受信チャネルをサーチし、その後、デジタル復調部103、多重分離部104を制御して、今回選局した受信チャネルの付加情報であるデータ要求情報により要求されたデータ放送情報の更新状況を調査し、更新されていれば付加情報であるデータ要求情報により要求されたデータ放送情報を抽出し、データ記憶部112に記憶する。これをデジタル放送の全ての周波数帯域で行う。ステップ308の処理ｃでは一旦これで処理を終了し、ある一定時間後この処理を繰り返す。ステップ310の処理ｅではすぐにまたこの処理を繰り返す。なお、ステップ308の処理ｃでは第一段階しか行わないこともまた行わないことも考えられる。
【００４１】
以上の処理により、図4に示すデジタル放送受信装置の実施の形態では、電力供給状態に合わせて付加情報であるデータ要求情報により要求されたデータ放送情報の変更の更新を行うことができる。
【００４２】
図5は本発明のデジタル放送信号を受信するデジタル放送信号受信装置の第3の実施の形態の構成を示すブロック図である。ここでも、車載受信機を想定している。図4と同一符号は同一機能を示し、501は外部データ入力端子である。図5における入力端子402から入力されるデータ要求情報は、データ放送に含まれるものだけでなく、デジタル放送受信装置114以外の機器から入力端子501に入力されることにより得られる外部データをも含んでいる。
【００４３】
次に、この外部データについて図6を用いて説明する。図6は自動車に搭載される機器の接続模式図である。601はシステム制御部、602はバスライン、603は本発明のデジタル放送受信装置、604はナビゲーション、605はモニタ、606は電力供給状態判断部、607，608はＡＶ機器、609，610はスピードやエンジン回転数などの車状態情報判断部である。
【００４４】
図6では、デジタル放送受信装置603、ナビゲーション604、モニタ605、電力供給状態判断部606、ＡＶ機器607，608、車状態情報判断部609，610がひとつのバス602で接続され、いわゆる車内ＬＡＮ（Local Area Network:ローカル・エリア・ネットワーク）が構築されており、システム制御部601が全体を制御している。このような系ではデジタル放送受信装置603以外の機器から容易に外部データを抽出することができる。一例として、ナビゲーション604からの位置情報を、図5の入力端子501から入力される外部データとする。
【００４５】
入力端子402からデータ放送のうち地域に密着した情報を示すデータ要求情報を入力したとする。このデータ要求情報はデータ要求記憶部401に記憶される。このデータ要求情報により要求されたデータ放送情報は、入力端子501から得られるナビゲーションからの位置データを参照した制御部110によって制御された多重分離部104で、地域に密着した情報が抽出され、データ記憶部112に記憶される。
【００４６】
次に、図5の動作を図3の処理ステップを用いて説明する。ステップ308の処理ｃとステップ310の処理ｅでは、デジタル放送受信装置114が選択されていないため、選択していない間、デジタル放送受信装置114を動作させて各チャネルのデータ放送情報や外部データを取得させる動作を行う。
【００４７】
具体的には、まず、第一段階として選局部102、デジタル復調部103、多重分離部104を制御して、前回まで受信していた受信チャネルのデータ放送情報の更新状況や外部からの位置情報を調査し、位置情報を参照しながら地域に密着した情報が更新されていればデータ放送情報を抽出し、データ記憶部112に記憶する。
【００４８】
次に、第二段階として選局部102を制御し前回受信していた以外の他の受信チャネルをサーチしまた外部からの位置情報を調査し、その後、デジタル復調部103、多重分離部104を制御して、位置情報を参照しながら今回選局した受信チャネルの地域に密着した付加情報である，データ要求情報により要求された情報の更新状況を調査し、更新されていれば地域に密着したデータ放送情報を抽出し、データ記憶部112に記憶する。
【００４９】
これをデジタル放送の全ての周波数帯域で行う。ステップ308の処理ｃでは一旦これで処理を終了し、ある一定時間後この処理を繰り返す。ステップ310の処理ｅではすぐにまたこの処理を繰り返す。なお、ステップ308の処理ｃでは第一段階しか行わないこともまた行わないことも考えられる。
【００５０】
以上の処理により、図5に示すデジタル放送受信装置の実施の形態では、電力供給状態とデジタル放送の受信位置に合わせて地域に密着した情報の更新を行うことができる。
【００５１】
図7は本発明のデジタル放送信号を受信するデジタル放送受信装置の第4の実施の形態の構成を示すブロック図である。図5と同一符号は同一機能を示し、701は双方向通信部である。
【００５２】
双方向通信部701は外部の、例えばインターネットのウェブなどからＥＰＧなどの情報を得るものである。一例として、図6のナビゲーション604からの位置情報を図7の入力端子501から入力される外部データである。
【００５３】
入力端子501から得られるナビゲーションからの位置データを参照した制御部110によって制御された双方向通信部701で地域に密着した情報またはその地域の選局可能局およびその局のＥＰＧなどを要求、受信し、データ記憶部112に記憶する。また、双方向通信部701でＰＳＩ／ＳＩ情報を要求し、ＰＳＩ／ＳＩ記憶部111に記憶してもよい。
【００５４】
図7の動作を図3の処理ステップを用いて説明する。図7の動作は放送受信と別系で行われるためデジタル放送受信機が選択されている、選択されていないは関係ない。ステップ308の処理ｃとステップ309の処理ｄ、および、ステップ310の処理ｅとステップ311の処理ｆでは、前回まで双方向通信部701で受信していた情報の更新状況や外部からの位置情報を調査し、位置情報を参照しながら地域に密着した情報またはその地域の選局可能局およびその局のＥＰＧなどが更新されていれば再度双方向通信部701で要求、受信を行い情報を抽出し、データ記憶部112に記憶する。ステップ308の処理ｃとステップ309の処理ｄでは一旦これで処理を終了し、ある一定時間後この処理を繰り返す。ステップ310の処理ｅとステップ311の処理ｆではすぐにまたこの処理を繰り返す。
【００５５】
以上の処理により、図7に示すデジタル放送受信装置の実施の形態では、電力供給状態とデジタル放送の受信位置に合わせて地域に密着した情報またはその地域の選局可能局およびその局のＥＰＧなどの情報の更新を行うことができる。
【００５６】
なお、双方向通信部701は図7のように図5に対して設けるだけでなく、図1，図4に対して設けても同様な効果を得ることができる。
【００５７】
以上の説明では車載受信機を想定して説明を行ったが、発電機のような商用電源や家庭のＡＣコンセント等による交流電源のような商用電源による電力供給と電池による電力供給を切り替えるようなタイプのデジタル放送受信装置に適用でき、例えば、ノートパソコンにデジタル放送受信部が内蔵されたもの、内蔵電池を積んだ携帯用デジタル放送受信装置にも適用できる。
【図面の簡単な説明】
【００５８】
【図１】本発明のデジタル放送信号受信装置の第1の実施の形態の構成を示すブロック図である。
【図２】自動車の一般的エンジンスイッチを示す模式図である。
【図３】制御部110の処理ステップを示すフローチャート図である。
【図４】本発明のデジタル放送信号を受信するデジタル放送信号受信装置の第2の実施の形態の構成を示すブロック図である。
【図５】本発明のデジタル放送信号を受信するデジタル放送信号受信装置の第3の実施の形態の構成を示すブロック図である。
【図６】自動車に搭載される機器の接続模式図である。
【図７】本発明のデジタル放送信号を受信するデジタル放送受信装置の第4の実施の形態の構成を示すブロック図である。
【符号の説明】
【００５９】
101…放送信号の入力端子、102…選局部、103…デジタル復調部、104…多重分離部、105…音声デコード部、106…音声出力端子、107…映像デコード部、108…提示処理部、109…映像出力端子、110…制御部、111…ＰＳＩ／ＳＩ記憶部、112…データ記憶部、113…受信機選択部、114…デジタル放送受信装置、115…電力供給状態判断部、302…電力供給状態の判断ステップ、303、304、305…受信機選択部112からのデジタル放送受信装置114を使用しようとして選択しているか選択していないかを示す再生要求信号の判断ステップ、306…電力供給が切断または制限されている場合でかつデジタル放送受信装置114を選択していないときに行う処理ａ、307…電力供給が切断または制限されている場合でかつデジタル放送受信装置114を使用しようとして選択しているときに行う処理ｂ、308…電力供給が電池からの電力でかつデジタル放送受信装置114を選択していないときに行う処理ｃ、309…電力供給が電池からの電力でかつデジタル放送受信装置114を使用しようとして選択しているときに行う処理ｄ、310…電力供給が発電機からの電力でかつデジタル放送受信装置114を選択していないときに行う処理ｅ、311…電力供給が発電機からの電力でかつデジタル放送受信装置114を使用しようとして選択しているときに行う処理ｆ、401…データ要求記憶部、402…データ要求情報入力端子、501…外部データ入力端子、701…双方向通信部。
【図１】
2008104214.tif 000003
【図２】
2008104214.tif 000004
【図３】
2008104214.tif 000005
【図４】
2008104214.tif 000006
【図５】
2008104214.tif 000007
【図６】
2008104214.tif 000008
【図７】
2008104214.tif 000009
【手続補正書】
【提出日】平成19年12月17日(2007.12.17)
【手続補正２】
【補正対象書類名】特許請求の範囲
【補正対象項目名】全文
【補正方法】変更
【補正の内容】
【特許請求の範囲】
【請求項１】
デジタル放送信号を含む伝送信号を受信して復調し、再生信号を出力するデジタル放送受信装置であって、
前記デジタル放送受信装置の受信者が前記再生信号を要求していることを示す再生要求信号を出力する再生判断部と、
前記デジタル放送受信装置が使用している電力の供給状態が、電力供給が制限されている状態か電力供給が制限されていない状態かを示す電力供給状況信号を出力する電力供給状況判断部と、
前記電力供給状況信号が電力供給が制限されている状態を示し、かつ前記再生要求信号を受信した場合に、前記デジタル放送受信機を第１の使用可能状態とし、前記電力供給状況信号が、電力供給が制限されていない状態を示し、かつ前記再生要求信号を受信した場合に、前記デジタル放送受信機を前記第１の使用状態よりも省電力モードである第２の使用可能状態とする制御を行う制御部と、
を有することを特徴とするデジタル放送受信装置。
【請求項２】
請求項１記載のデジタル放送受信装置であって、
前記電源供給が制限されている状態とは、電池から電力供給を受けている状態であることを特徴とするデジタル放送受信装置。
【請求項３】
請求項１または２に記載のデジタル放送受信装置であって、
前記電力供給が制限されていない状態とは、発電機又は商用電源の少なくとも一つから電源供給を受けている状態であることを特徴とするデジタル放送受信装置。
【請求項４】
請求項１〜３のいずれか１項に記載のデジタル放送受信装置であって、
前記第２の使用時可能状態とは、休眠状態であることを特徴とするデジタル放送受信装置。
【請求項５】
請求項４に記載のデジタル放送受信装置であって、
前記休眠状態とは、緊急情報放送があった場合に前記デジタル放送受信装置を起動する状態、または緊急警報を通達する処理を行う状態の少なくとも一方であることを特徴とするデジタル放送受信装置。
【請求項６】
請求項１〜５のいずれか１項に記載のデジタル放送受信装置であって、
前記第２の使用可能状態とは、第１の使用可能状態に比べ映像サイズを小さくする、または第１の使用可能状態に比べ輝度を落とす、または映像出力を出さずに音声出力だけを出力する、の少なくとも１つを行う状態であることを特徴とするデジタル放送受信装置。
【請求項７】
請求項１〜６のいずれか１項に記載のデジタル放送受信装置であって、
前記第２の使用可能状態とは、番組配列情報またはデータ情報の少なくとも１つを取得する状態であることを特徴とするデジタル放送受信装置。
【請求項８】
デジタル放送信号を含む伝送信号を受信して復調し、再生信号を出力するデジタル放送受信装置における制御方法であって、
前記デジタル放送受信装置の受信者が前記再生信号を要求していることを示す再生要求信号を出力し、
前記デジタル放送受信装置が使用している電力の供給状態が、電力供給が制限されている状態か電力供給が制限されていない状態かを示す電力供給状況信号を出力し、
前記電力供給状況信号が電力供給が制限されている状態を示し、かつ前記再生要求信号を受信した場合に、前記デジタル放送受信機を第１の使用可能状態とし、前記電力供給状況信号が、電力供給が制限されていない状態を示し、かつ前記再生要求信号を受信した場合に、前記デジタル放送受信機を前記第１の使用状態よりも省電力モードである第２の使用可能状態とする、
ことを特徴とするデジタル放送受信装置における制御方法。
【手続補正３】
【補正対象書類名】明細書
【補正対象項目名】００１０
【補正方法】変更
【補正の内容】
【００１０】
前記目的は、その一例として特許請求の範囲に記載の構成により達成できる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明によれば、電力供給状態に合わせてデジタル放送受信装置の制御を行うことができる。
【手続補正９】
【補正対象書類名】明細書
【補正対象項目名】００５７
【補正方法】変更
【補正の内容】
【００５７】
以上の説明では車載受信機を想定して説明を行ったが、発電機のような商用電源や家庭のＡＣコンセント等による交流電源のような商用電源による電力供給と電池による電力供給を切り替えるようなタイプのデジタル放送受信装置に適用でき、例えば、ノートパソコンにデジタル放送受信部が内蔵されたもの、内蔵電池を積んだ携帯用デジタル放送受信装置にも適用できる。
第１の本発明は、デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、前記伝送信号から選択されたデジタル放送信号の受信チャネルを選局制御信号により選局する選局部と、前記選局部の出力信号を復調し、復調信号を出力する復調部と、前記復調信号に含まれる番組配列情報を分離して出力する多重分離部と、前記番組配列情報を記憶する記憶部と、前記デジタル放送受信装置の受信者が前記再生信号を要求しているか要求していないかを示す再生要求信号を出力する再生判断部と、前記デジタル放送受信装置で使用している電力が、発電機または商用電源からの電力か、電池からの電力か、電力供給が切断または制限されている場合かを示す電力供給状況信号を出力する電力供給状況判断部と、前記再生要求信号と前記電力供給状況信号を受け、前記選局部と前記復調部と前記多重分離部とを制御し、前記番組配列情報を前記記憶部に記憶する制御部と、で構成されることを特徴とする。
第２の本発明は、第１の本発明において、前記制御部により制御される、外部と双方向通信を行い、通信情報を外部から入手することのできる双方向通信部を設けたことを特徴とする。
第３の本発明は、デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、前記伝送信号から選択されたデジタル放送信号の受信チャネルを選局制御信号により選局する選局部と、前記選局部の出力信号を復調し、復調信号を出力する復調部と、前記復調信号に含まれる番組配列情報やデータ情報を分離して出力する多重分離部と、前記番組配列情報を記憶する記憶部と、前記デジタル放送受信装置の受信者が前記再生信号を要求しているか要求していないかを示す再生要求信号を出力する再生判断部と、前記デジタル放送受信装置で使用している電力が、発電機または商用電源からの電力か、電池からの電力か、電力供給が切断または制限されている場合かを示す電力供給状況信号を出力する電力供給状況判断部と、前記番組配列情報やデータ情報のうち必要な情報を要求する情報要求信号を記憶する要求記憶部と、前記再生要求信号と前記電力供給状況信号と前記要求記憶部からの前記情報要求信号とを受け、前記選局部と前記復調部と前記多重分離部とを制御し、前記情報要求信号により要求された前記番組配列情報やデータ情報を前記記憶部に記憶する制御部と、で構成されることを特徴とする。
第４の本発明は、デジタル放送信号を含む伝送信号を受信選局して復調し映像信号や音声信号やデータ信号等の再生信号を出力する、電力を電池からと発電機または商用電源からとで切り替えて供給されるデジタル放送受信装置において、前記伝送信号から選択されたデジタル放送信号の受信チャネルを選局制御信号により選局する選局部と、前記選局部の出力信号を復調し、復調信号を出力する復調部と、前記復調信号に含まれる番組配列情報やデータ情報を分離して出力する多重分離部と、前記番組配列情報、または前記デジタル放送受信装置の外部から供給される外部情報を記憶する記憶部と、前記デジタル放送受信装置の受信者が前記再生信号を要求しているか要求していないかを示す再生要求信号を出力する再生判断部と、前記デジタル放送受信装置で使用している電力が、発電機または商用電源からの電力か、電池からの電力か、電力供給が切断または制限されている場合かを示す電力供給状況信号を出力する電力供給状況判断部と、前記番組配列情報やデータ情報のうち必要な情報を要求する情報要求信号を記憶する要求記憶部と、前記再生要求信号と前記電力供給状況信号と前記要求記憶部からの前記列情報要求信号とを受け、前記選局部と前記復調部と前記多重分離部とを制御し、前記情報要求信号により要求された、前記番組配列情報やデータ情報または前記外部情報を前記記憶部に記憶する制御部と、で構成されることを特徴とする。
第５の本発明は、第３または第４の本発明において、前記制御部により制御される、外部と双方向通信を行い、通信情報を外部から入手することのできる双方向通信部を設けたことを特徴とする。
本発明によれば、デジタル放送信号を受信するデジタル放送受信装置の動作電力を商用電源からと電池からとで切り替えて供給するデジタル放送受信装置において、電力供給状態に合わせてデジタル放送信号の番組配列情報等付加情報の更新を行うデジタル放送受信装置を得ることができる。